(57)【要約】【課題】    足裏の特定部位に対して押圧による刺激を与える隆起部内に健康衛生機能を促進する粒状物質又は粉状物質を充填することにより、従来の履物及び靴中敷きには存在しなかったじゃりじゃりした感覚が得られるとともに、同時に足ツボを刺激することができ、さらに粒状物質又は粉状物質により健康衛生機能を促進する効果も併せて得られる履物及び靴中敷きを提供する。【解決手段】足裏があたる履物底部の表面に足裏の特定部位に対して履物を着用したときに押圧による刺激を与える隆起部３０を設けた履物において、足裏の特定部位が接する隆起部３０の表面は通気性を有する被覆部材３２、３３により構成され、隆起部３０の内部に健康衛生機能を促進する粒状物質又は粉状物質が充填されていることを特徴とする。【選択図】  図１
2005211098.tif 000002
【特許請求の範囲】
【請求項１】
足裏があたる履物底部の表面に足裏の特定部位に対して履物を着用したときに押圧による刺激を与える隆起部を設けた履物において、足裏の特定部位が接する前記隆起部の表面は通気性を有する被覆部材により構成され、前記隆起部の内部に健康衛生機能を促進する粒状物質又は粉状物質が充填されていることを特徴とする履物。
【請求項２】
前記隆起部は、足裏の土踏まず、足指、踵の特定部位のいずれか１つ又はそれらの組合せに刺激を与えるように前記履物底部の表面に配置されることを特徴とする請求項１に記載の履物。
【請求項３】
前記被覆部材は、外側層にメッシュ材、内側層に不織布の２層構造を有することを特徴とする請求項１又は２に記載の履物。
【請求項４】
前記粒状物質又は粉状物質は、粒状又は粉状に形成された竹炭、岩塩、ひのき、よもぎ、びわ、にがりのいずれか１つ又はそれらの組合せからなる物質であることを特徴とする請求項１乃至３に記載の履物。
【請求項５】
足裏があたる本体表面に足裏の特定部位に対して押圧による刺激を与える隆起部を設けた靴中敷きにおいて、足裏の特定部位が接する前記隆起部の表面は通気性を有する被覆部材により構成され、前記隆起部の内部に健康衛生機能を促進する粒状物質又は粉状物質が充填されていることを特徴とする靴中敷き。
【請求項６】
前記隆起部は、足裏の土踏まず、足指、踵の特定部位のいずれか１つ又はそれらの組合せに刺激を与えるように前記本体表面に配置されることを特徴とする請求項５に記載の靴中敷き。
【請求項７】
前記被覆部材は、外側層にメッシュ材、内側層に不織布の２層構造を有することを特徴とする請求項５又は６に記載の靴中敷き。
【請求項８】
前記粒状物質又は粉状物質は、粒状又は粉状に形成された竹炭、岩塩、ひのき、よもぎ、びわ、にがりのいずれか１つ又はそれらの組合せからなる物質であることを特徴とする請求項５乃至７に記載の靴中敷き。
【発明の詳細な説明】
【技術分野】
【０００１】
本発明は、足裏の特定部位に対して刺激を与えることにより健康増進を図る履物及び靴中敷きに関する。
【背景技術】
【０００２】
従来より、足裏を刺激する手段の施された履物及び靴中敷き並びに抗菌機能や消臭機能等を備えた履物及び靴中敷きは存在し、いわゆる健康サンダルやいわゆる衛生靴中敷きといわれるものが多数提案されている。
【０００３】
例えば、実公平１−２２４８３号公報には、履物台の上面に複数の突起物を設け、この突起物を除く上面に弾力性シートを接合させた健康サンダルが開示されている（特許文献１）。
【０００４】
また、特開平７−７９８０５号公報には、基材上の第２中足骨骨頭位置付近に軟質ポリウレタンフォームからなる凸部を形成した靴中敷が開示されている（特許文献２）。
【０００５】
また、特開平７−１６３４０３号公報には、足型板の表面に突出する中空枠体と、この中空枠体を除く表面に中空枠体より背丈の低い無垢突状基を一体成形し、中空枠体に磁気物体を埋め込み底板上に設定したはき物類の底部が開示されている（特許文献３）。
【０００６】
また、特開平９−２０６１０６号公報には、靴中敷きの適当なツボ位置に一対の内室を有するスリット付きポケットを設け、このポケット内に金属イオンを発生する物質、芳香剤、消臭剤、乾燥剤を封入する衛生靴中敷きが開示されている（特許文献４）。
【０００７】
また、特開平１１−１４６８０２号公報には、履物底面の表面または裏面に凸部を形成、あるいは補助パットを貼付することにより、足裏の特定部位に刺激を与える履物および靴中敷が開示されている（特許文献５）。
【０００８】
【特許文献１】実公平１−２２４８３号公報
【特許文献２】特開平７−７９８０５号公報
【特許文献３】特開平７−１６３４０３号公報
【特許文献４】特開平９−２０６１０６号公報
【特許文献５】特開平１１−１４６８０２号公報
【発明の開示】
【発明が解決しようとする課題】
【０００９】
本発明は、足裏の特定部位に対して押圧による刺激を与える隆起部内に健康衛生機能を促進する粒状物質又は粉状物質を充填することにより、従来の履物及び靴中敷きには存在しなかったじゃりじゃりした感覚が得られるとともに、同時に足ツボを刺激することができ、さらに粒状物質又は粉状物質により健康衛生機能を促進する効果も併せて得られる履物及び靴中敷きを提供することを目的とする。
【課題を解決するための手段】
【００１０】
上記課題を解決するために、請求項１に記載の発明は、足裏があたる履物底部の表面に足裏の特定部位に対して履物を着用したときに押圧による刺激を与える隆起部を設けた履物において、足裏の特定部位が接する前記隆起部の表面は通気性を有する被覆部材により構成され、前記隆起部の内部に健康衛生機能を促進する粒状物質又は粉状物質が充填されている構成を採用したのである。
【００１１】
請求項２に記載の発明は、請求項１に記載の発明にかかる履物において、前記隆起部は、足裏の土踏まず、足指、踵の特定部位のいずれか１つ又はそれらの組合せに刺激を与えるように前記履物底部の表面に配置されることを特徴とする。
【００１２】
これにより、足裏の土踏まず、足指、踵の特定部位のいずれか１つ又はそれらの組合せにかかる足ツボを効果的に刺激することができる。
【００１３】
請求項３に記載の発明は、請求項１又は２に記載の発明にかかる履物において、前記被覆部材は、外側層にメッシュ材、内側層に不織布の２層構造を有することを特徴とする。
【００１４】
これにより、いずれも通気性を有する外側層のメッシュ材と内側層の不織布によって粒状物質又は粉状物質が被覆された状態でその内部に保持されるとともに、長期間履物を着用した場合でも、外側層のメッシュ材が介在することにより、足裏が不織布表面に直接接触することがないので、不織布表面の磨耗による劣化を防止することができる。
【００１５】
請求項４に記載の発明は、請求項１乃至３に記載の発明にかかる履物において、前記粒状物質又は粉状物質は、粒状又は粉状に形成された竹炭、岩塩、ひのき、よもぎ、びわ、にがりのいずれか１つ又はそれらの組合せからなる物質であることを特徴とする。
【００１６】
これにより、履物を着用した際、粒状又は粉状に形成された竹炭、岩塩、ひのき、よもぎ、びわ、にがりのいずれか１つ又はそれらの組合せからなる物質が被覆部材を介して足裏にじゃりじゃりした感覚を与えるとともに、同時に特定部位の足ツボを刺激することができるばかりでなく、通気性を有する被覆部材を通じて足裏に放出される竹炭、岩塩、ひのき、よもぎ、びわ、にがりのいずれか１つ又はそれらの組合せからなる物質の種々の効能に基づき健康衛生機能を促進する効果が発揮される。
【００１７】
また、請求項５に記載の発明は、足裏があたる本体表面に足裏の特定部位に対して押圧による刺激を与える隆起部を設けた靴中敷きにおいて、足裏の特定部位が接する前記隆起部の表面は通気性を有する被覆部材により構成され、前記隆起部の内部に健康衛生機能を促進する粒状物質又は粉状物質が充填されている構成を採用したのである。
【００１８】
請求項６に記載の発明は、請求項５に記載の発明にかかる靴中敷きにおいて、前記隆起部は、足裏の土踏まず、足指、踵の特定部位のいずれか１つ又はそれらの組合せに刺激を与えるように前記履物底部の表面に配置されることを特徴とする。
【００１９】
これにより、足裏の土踏まず、足指、踵の特定部位のいずれか１つ又はそれらの組合せにかかる足ツボを効果的に刺激することができる。
【００２０】
請求項７に記載の発明は、請求項５又は請求項６に記載の発明にかかる靴中敷きにおいて、前記被覆部材は、外側層にメッシュ材、内側層に不織布の２層構造を有することを特徴とする。
【００２１】
これにより、いずれも通気性を有する外側層のメッシュ材と内側層の不織布によって粒状物質又は粉状物質が被覆された状態でその内部に保持されるとともに、長期間靴中敷きを使用した場合でも、外側層のメッシュ材が介在することにより、足裏が不織布表面に直接接触することがないので、不織布表面の磨耗による劣化を防止することができる。
【００２２】
請求項８に記載の発明は、請求項５乃至請求項７に記載の発明にかかる靴中敷きにおいて、前記粒状物質又は粉状物質は、粒状又は粉状に形成された竹炭、岩塩、ひのき、よもぎ、びわ、にがりのいずれか１つ又はそれらの組合せからなる物質であることを特徴とする。
【００２３】
これにより、靴中敷きを使用した際、粒状又は粉状に形成された竹炭、岩塩、ひのき、よもぎ、びわ、にがりのいずれか１つ又はそれらの組合せからなる物質が被覆部材を介して足裏にじゃりじゃりした感覚を与えるとともに、同時に特定部位の足ツボを刺激することができるばかりでなく、通気性を有する被覆部材を通じて足裏に放出される竹炭、岩塩、ひのき、よもぎ、びわ、にがりのいずれか１つ又はそれらの組合せからなる物質の種々の効能に基づき健康衛生機能を促進する効果が発揮される。
【発明の効果】
【００２４】
以上のように、本発明にかかる履物及び靴中敷きによれば、従来の履物及び靴中敷きには存在しなかったじゃりじゃりした感覚が得られるとともに、同時に足ツボを刺激することができるので足のむくみがとれる・血行促進などの効果が得られ、さらに粒状物質又は粉状物質により健康衛生機能を促進する効果も併せて得られる。
【発明を実施するための最良の形態】
【００２５】
以下、本発明にかかる履物の実施形態について、図面を参酌しながら説明する。ここで、本発明にかかる履物とは履物類の総称を指し、以下の第１乃至第３の実施形態で例示するサンダルの他、靴、スリッパ、草履、下駄などが含まれる。
【００２６】
図１は、第１の実施形態におけるサンダルの斜視図である。
【００２７】
図１に示すように、サンダル１０は、右足用サンダルの構成を示しており、このサンダル１０の足裏があたる底部１１の表面（表材２２）には、足裏の土踏まずに対してサンダル１０を着用したときに押圧による刺激を与える隆起部３０が設けられている。本実施形態では、底部１１の上部に靴中敷き２０が縫着又は接着等されて底部１１と一体形成されている構成について詳述するが、サンダル１０の足裏があたる底部１１は、本実施形態に示す構成に限定されるものではなく、足裏により踏み込まれるのに適したものであって、底部１１の表面の所定位置に隆起部３０が底部１１と一体的に形成されている構成を適宜採用することができる。なお、本実施形態において、靴中敷き２０の部分のみに着目した場合、本発明にかかる靴中敷きの実施形態として適用することができる。
【００２８】
図２は第１の実施形態におけるサンダルの正面図、図３は同サンダルの背面図、図４は同サンダルの右側面図、図５は同サンダルの左側面図、図６は同サンダルの平面図、図７は同サンダルの底面図である。
【００２９】
第１の実施形態におけるサンダルの隆起部３０は、図１乃至図７に示すように、足裏の土踏まずの特定部位に対応した部分に配置されており、足裏の土踏まずに刺激を与えるため靴中敷き２０の表材２２の表面から隆起するような形状に形成されている。本発明においては、この隆起部３０の表面は通気性を有する被覆部材により構成され、隆起部３０の内部に健康衛生機能を促進する粒状物質又は粉状物質が充填されている点が特徴となる。以下、この隆起部３０の構造について図２２を参酌しながら詳述する。
【００３０】
隆起部３０は、靴中敷き２０の表材２２の足裏の土踏まずの特定部位に対応した位置に設けられた開口部に形成されており、図２２に示すように、靴中敷き２０の基板２１と被覆部材３１との間に健康衛生機能を促進する粒状物質又は粉状物質が充填される充填部４０が形成され、被覆部材３１の周縁部は靴中敷き２０の表材２２の前記開口部の周縁部に縫着又は接着等されている。この被覆部材３１は、外側層にメッシュ材３３、内側層に不織布３２の２層構造を採用することができる（図１、図２２参照）。メッシュ材３３の素材としては、ポリエステル系のものが好ましく、不織布３２の素材としては、通気性がよく踏まれても破れないようにある程度の強度が必要であるが、使用用途によってポリプロ、エステル、ナイロン、アルミ、スパッタリングなどから適宜選択することができる。このように被覆部材３１に２層構造を採用することにより、隆起部３０において外観に現れる美的効果が付加されるため、需要者の購買意欲を喚起することができる。また、長期間サンダル１０を使用した場合でも、外側層のメッシュ材３３が介在することにより、足裏が不織布３２の表面に直接接触することがないので、不織布３２の表面の磨耗による劣化を防止することができる。
【００３１】
図２２に示すように、充填部４０は被覆部材３１と靴中敷き２０の基板２１との間に基板２１に載置される部材３５を介して形成される。この場合、被覆部材３１と部材３５の各周縁部を縫着又は接着等によって袋状に形成したものの中に健康衛生機能を促進する粒状物質又は粉状物質を充填し、それを靴中敷き２０の表材２２の前記開口部に縫着又は接着等して隆起部３０が形成される。このように袋状に形成したものの中に予め粒状物質又は粉状物質を充填しておくことにより、各製造作業が容易になる。なお、部材３５の素材としては、特に限定されるものではないが、上述した不織布３２と同じ素材を採用してもよい。
【００３２】
図２３は、隆起部の構造の変形例を示す説明図である。
【００３３】
この変形例に示す構造では、隆起部３０の表面は通気性を有する被覆部材３１により構成され、隆起部３０の内部に健康衛生機能を促進する粒状物質又は粉状物質が充填されている点において、図２２に示した隆起部３０と共通するが、充填部４０が分割されて構成されている点において相違する。すなわち、被覆部材３１と部材３５とを縫着又は接着等して３つの空間に分割さた充填部４０ａ、４０ｂ、４０ｃが形成され、それぞれの充填部４０ａ、４０ｂ、４０ｃに健康衛生機能を促進する粒状物質又は粉状物質が充填される。隆起部３０にこのような構成を採用した場合、充填部４０の内部の粒状物質又は粉状物質が一方向に移動して片寄ってしまうのを防止することができる。なお、充填部４０の分割の数は上述した３つに限られず、２つ以上の任意の数を適宜選択することができる。
【００３４】
充填部４０に充填される健康衛生機能を促進する粒状物質又は粉状物質は、粒状又は粉状に形成された竹炭、岩塩、ひのき、よもぎ、びわ、にがりのいずれか１つ又はそれらの組合せからなる物質であることを特徴とする。このように粒状又は粉状に形成された物質が、被覆部材を介して足裏にじゃりじゃりした感覚を与える。このような従来の履物及び靴中敷きには存在しなかったじゃりじゃりした感覚について、本願出願人が研究し得られた結果では、粒の大きさは０．５ｍｍ〜５．０ｍｍの範囲内に設定することが適している。また、最適な感覚が得られるようにするためには、粒の大きさは０．５ｍｍ〜１．０ｍｍの範囲内に設定することが好ましい。
【００３５】
ここで、通気性を有する被覆部材３１（不織布３２、メッシュ材３３）を通じて足裏に放出される種々の物質の効能に基づき健康衛生機能を促進する効果について説明する。
【００３６】
竹炭は、多孔質の物質であり、その表面積は１ｇあたり７００平方メートルもあり、木炭の表面積の約２倍に相当するため、木炭に比べて吸着効果に優れ、竹炭に多く含まれている活性珪酸によってトリチルアミン（生臭さの元）をよく吸着し、ｐＨ値が弱アルカリ性〜アルカリ性であるため菌類の繁殖を防ぎ抗菌効果にも優れている。また、竹炭は、炭素分がアースの役割をして静電気防止効果や、身体の新陳代謝を高める遠赤外線効果を発揮することが一般的に知られている。そのため、竹炭を利用した健康増進を図る商品が多数存在する。例えば、風呂、飲料水、炊飯などの日常生活に使用されるもの、身体に生じる疾患（アトピー、打ち身、捻挫、肩こり、ストレス、冷え性、慢性疲労等）の緩和に使用されるもの、などが挙げられる。したがって、隆起部３０の充填部４０に竹炭を充填した場合、隆起部３０により足ツボを刺激することができ、さらに竹炭の上述した効能に基づいて健康衛生機能を促進する効果も併せて得られる。
【００３７】
岩塩は、岩の間から採れた天然塩のことであり、岩塩の成分と主な効能としては、塩素（殺菌、消化促進）、ナトリウム（胃酸分泌促進）、カルシウム（肩こり解消）、マグネシウム（精神安定）、カリウム（腎臓の老廃物排出の補助）、鉄（病気に対する抵抗力）、銅（皮膚の老化抑制）、ケイ素（結合組織を強化）、亜鉛（免疫力向上）、ヨード（新陳代謝機能の調整）が挙げられる。したがって、隆起部３０の充填部４０に岩塩を充填した場合、隆起部３０により足ツボを刺激することができ、さらに岩塩に豊富に含まれるミネラル分により発揮される効能に基づいて健康衛生機能を促進する効果も併せて得られる。
【００３８】
ひのきは、身体に優しい天然素材であり、例えば、ひのきをチップ状に形成したひのきチップは、いわゆる健康まくら（健康的に快適に眠れる条件を整えたまくら）に利用されている。ひのきの効能としては、森林浴効果（ひのきから発散される香りには、滋養豊かなミネラルを含んだフィトンチットと呼ばれる成分が含まれており、鎮静作用を促し自律神経を安定させストレスを緩和する働きがあるといわれている）、抗菌効果（カビや病原菌の増殖を抑制する）、吸湿効果（吸湿性に優れている）が挙げられる。したがって、隆起部３０の充填部４０にひのきを充填した場合、隆起部３０により足ツボを刺激することができ、さらにひのきに含まれる成分により発揮される効能に基づいて健康衛生機能を促進する効果も併せて得られる。
【００３９】
よもぎ又はびわは、ともに自然植物である。よもぎに含まれる成分は、消炎・洗浄・抗菌・保湿効果などを発揮することが知られており、最近では美容分野等において利用されている。また、びわに含まれる成分は、疲労回復・血行促進・筋肉痛の痛みの緩和効果などを発揮することが知られており、最近では健康食品分野等において利用されている。したがって、隆起部３０の充填部４０に粒状又は粉状に形成されたよもぎ又はびわを充填した場合、隆起部３０により足ツボを刺激することができ、さらによもぎ又はびわに含まれる成分により発揮される効能に基づいて健康衛生機能を促進する効果も併せて得られる。
【００４０】
にがりは、海水を汲み上げ日光や熱を与えて煮詰めることにより製造される。にがりの成分には様々なミネラルが豊富に含まれている。にがりは、肌をしっとりさせる・肌の代謝が良くなる効果などを発揮することが知られており、最近では美容分野や健康食品分野等において利用されている。したがって、隆起部３０の充填部４０に粒状又は粉状に形成されたにがりを充填した場合、隆起部３０により足ツボを刺激することができ、さらににがりに含まれる成分により発揮される効能に基づいて健康衛生機能を促進する効果も併せて得られる。
【００４１】
以上、竹炭、岩塩、ひのき、よもぎ、びわ、にがりの各効能に基づいて健康衛生機能を促進する効果について説明したが、本発明にかかる隆起部３０の内部に充填する場合、これらの物質をそれぞれ単独で使用すること、これらの物質を任意に混ぜて使用することができる。なお、充填する物質は、何らかの健康衛生機能を促進する効果を発揮するものであれば良いため、上記６つの物質に限定されるものではない。
【００４２】
次に、図８は、第２の実施形態におけるサンダルの斜視図である。
【００４３】
図８に示すように、サンダル１０は、第１の実施形態におけるサンダルと同様に右足用サンダルの構成を示しており、このサンダル１０の足裏があたる底部１１の表面（表材２２）には、足裏の足指に対してサンダル１０を着用したときに押圧による刺激を与える隆起部３０が設けられている。また、サンダル１０の足裏があたる底部１１は、本実施形態に示す構成に限定されるものではなく、足裏により踏み込まれるのに適したものであって、底部１１の表面の所定位置に隆起部３０が底部１１と一体的に形成されている構成を適宜採用することができる。なお、本実施形態において、靴中敷き２０の部分のみに着目した場合、本発明にかかる靴中敷きの実施形態として適用することができる。
【００４４】
図９は第２の実施形態におけるサンダルの正面図、図１０は同サンダルの背面図、図１１は同サンダルの右側面図、図１２は同サンダルの左側面図、図１３は同サンダルの平面図、図１４は同サンダルの底面図である。
【００４５】
第２の実施形態におけるサンダルの隆起部３０は、図８乃至図１４に示すように、足裏の足指の特定部位に対応した部分に配置されており、足裏の足指に刺激を与えるため靴中敷き２０の表材２２の表面から隆起するような形状に形成されている。本発明においては、この隆起部３０の表面は通気性を有する被覆部材により構成され、隆起部３０の内部に健康衛生機能を促進する粒状物質又は粉状物質が充填されている点が特徴となる。この隆起部３０の構造については、第１の実施形態において詳述した内容と同じであるので省略する（図２２、図２３参照）。
【００４６】
次に、図１５は、第３の実施形態におけるサンダルの斜視図である。
【００４７】
図１５に示すように、サンダル１０は、第１の実施形態におけるサンダルと同様に右足用サンダルの構成を示しており、このサンダル１０の足裏があたる底部１１の表面（表材２２）には、足裏の踵に対してサンダル１０を着用したときに押圧による刺激を与える隆起部３０が設けられている。また、サンダル１０の足裏があたる底部１１は、本実施形態に示す構成に限定されるものではなく、足裏により踏み込まれるのに適したものであって、底部１１の表面の所定位置に隆起部３０が底部１１と一体的に形成されている構成を適宜採用することができる。なお、本実施形態において、靴中敷き２０の部分のみに着目した場合、本発明にかかる靴中敷きの実施形態として適用することができる。
【００４８】
図１６は第３の実施形態におけるサンダルの正面図、図１７は同サンダルの背面図、図１８は同サンダルの右側面図、図１９は同サンダルの左側面図、図２０は同サンダルの平面図、図２１は同サンダルの底面図である。
【００４９】
第３の実施形態におけるサンダルの隆起部３０は、図１５乃至図２１に示すように、足裏の踵の特定部位に対応した部分に配置されており、足裏の踵に刺激を与えるため靴中敷き２０の表材２２の表面から隆起するような形状に形成されている。本発明においては、この隆起部３０の表面は通気性を有する被覆部材により構成され、隆起部３０の内部に健康衛生機能を促進する粒状物質又は粉状物質が充填されている点が特徴となる。この隆起部３０の構造については、第１の実施形態において詳述した内容と同じであるので省略する（図２２、図２３参照）。
【図面の簡単な説明】
【００５０】
【図１】第１の実施形態におけるサンダルの斜視図である。
【図２】第１の実施形態におけるサンダルの正面図である。
【図３】第１の実施形態におけるサンダルの背面図である。
【図４】第１の実施形態におけるサンダルの右側面図である。
【図５】第１の実施形態におけるサンダルの左側面図である。
【図６】第１の実施形態におけるサンダルの平面図である。
【図７】第１の実施形態におけるサンダルの底面図である。
【図８】第２の実施形態におけるサンダルの斜視図である。
【図９】第２の実施形態におけるサンダルの正面図である。
【図１０】第２の実施形態におけるサンダルの背面図である。
【図１１】第２の実施形態におけるサンダルの右側面図である。
【図１２】第２の実施形態におけるサンダルの左側面図である。
【図１３】第２の実施形態におけるサンダルの平面図である。
【図１４】第２の実施形態におけるサンダルの底面図である。
【図１５】第３の実施形態におけるサンダルの斜視図である。
【図１６】第３の実施形態におけるサンダルの正面図である。
【図１７】第３の実施形態におけるサンダルの背面図である。
【図１８】第３の実施形態におけるサンダルの右側面図である。
【図１９】第３の実施形態におけるサンダルの左側面図である。
【図２０】第３の実施形態におけるサンダルの平面図である。
【図２１】第３の実施形態におけるサンダルの底面図である。
【図２２】上記第１〜第３の実施形態に係るサンダルの隆起部の構造を示す説明図である。
【図２３】上記第１〜第３の実施形態に係るサンダルの隆起部の構造の変形例を示す説明図である。
【符号の説明】
【００５１】
１０  サンダル
１１  底部
２０  靴中敷き
２１  基板
２２  表材
３０  隆起部
３１  被覆部材
３２  不織布
３３  メッシュ材
３５  部材
４０  充填部
【図１】
2005211098.tif 000003
【図２】
2005211098.tif 000004
【図３】
2005211098.tif 000005
【図４】
2005211098.tif 000006
【図５】
2005211098.tif 000007
【図６】
2005211098.tif 000008
【図７】
2005211098.tif 000009
【図８】
2005211098.tif 000010
【図９】
2005211098.tif 000011
【図１０】
2005211098.tif 000012
【図１１】
2005211098.tif 000013
【図１２】
2005211098.tif 000014
【図１３】
2005211098.tif 000015
【図１４】
2005211098.tif 000016
【図１５】
2005211098.tif 000017
【図１６】
2005211098.tif 000018
【図１７】
2005211098.tif 000019
【図１８】
2005211098.tif 000020
【図１９】
2005211098.tif 000021
【図２０】
2005211098.tif 000022
【図２１】
2005211098.tif 000023
【図２２】
2005211098.tif 000024
【図２３】
2005211098.tif 000025